(57)【特許請求の範囲】
【請求項１】
係止片とその基端から略直角に屈曲させた足片とからなる断面Ｌ字状の一対の連結用金具であって、該一対の連結用金具の各足片は、互いに反対向きに延びるようにして、支持板に穿設された係止孔に係合させ、且つ両係止片同士を背中合わせ状態となし、該両係止片に形成されたベルト挿通部に、連結すべきベルト手段を直接または間接的に挿通係合するように構成したことを特徴とするベルト手段の連結用金具。
【請求項２】
前記ベルト手段は、前記支持板に載置したＯＡ機器等の機器に掛け回し固定するための長さ調節可能な形態を有することを特徴とする請求項１に記載のベルト手段の連結用金具。
【請求項３】
前記ベルト挿通部は、各係止片に穿設された横長状の貫通孔であって、該貫通孔の上側部には、両係止片同士を背中合わせ状態としたとき、互いに相手側の貫通孔の上側縁にて隠される上向き凸部を設けたことを特徴とする請求項１または請求項２に記載のベルト手段の連結用金具。
【請求項４】
前記ベルト挿通部は、各係止片に穿設された横長状の貫通孔であって、該貫通孔の上側部には、両係止片同士を背中合わせ状態としたとき、互いに相手側の貫通孔の上側縁にて隠される上向き切離し部を設けたことを特徴とする請求項１または請求項２に記載のベルト手段の連結用金具。
【発明の詳細な説明】
【０００１】
【発明の属する技術分野】
本発明は、床上の台板や、机、テーブル等における天板上に載置したワードプロセッサ、パーソナルコンピュータ（パソコン）、サーバ（コンピュータ）等のＯＡ機器や、実験室内の棚板に載置した計測機器等の各種の機器が、地震等によって、落下したり転倒しないように固定したり、物を吊下げるためのベルト手段を固定すべき箇所に連結するための装置に関するものである。
【０００２】
【従来の技術】
従来、この種のＯＡ機器の転倒や落下を防止する手段として、特開平９−１６７０３２号公報では、多数の貫通孔を穿設した机天板（台板）にＯＡ機器を載置する一方、このＯＡ機器の上面側に掛け回したベルトの両端を、係止具を介して前記貫通孔に係止することを開示している。
【０００３】
この場合、前記公開公報における図８に示す実施例では、断面Ｌ字状の係止具における環部には、ベルトの輪部が予め通されてあり、係止具の鉤部を、机天板（台板）における貫通孔に上方から差し込み、該鉤部が貫通孔から机天板（台板）の表面板の内側（下面側）に係止するように立て起こし、ＯＡ機器に掛け回したベルトにテンションを加えて、ＯＡ機器を机天板（台板）とベルトで挟み付けた状態に保持し、ＯＡ機器が転倒しないようにしていた。
【０００４】
【発明が解決しようとする課題】
しかしながら、一つの係止具における断面Ｌ字状の鉤部を貫通孔に差し込んだだけであるため、前記鉤部が机天板（台板）の表面板の内側から離れるように下向き回動するモーメントが働くように、ベルトの引張り力が作用したり、ベルトの引張りが若干でも緩むと、前記鉤部と表面板の内側との係合が外れ、簡単に係止具が貫通孔から外れてしまうという問題があった。
【０００５】
この不都合を解消するため、前記鉤部を足の爪先側と踵部（凸部）とからなるように、変形Ｔ字状に形成しているが、この踵部を長くすると、外れ難くなる反面、貫通孔内に鉤部全体を挿入し難くなるという問題があった。
本発明は、上記の従来の問題点を解決した、ＯＡ機器等の機器の固定装置を提供することを目的とするものである。
【０００６】
【課題を解決するための手段】
前記目的を達成するため、請求項１に記載の発明のベルト手段の連結用金具は、係止片とその基端から略直角に屈曲させた足片とからなる断面Ｌ字状の一対の連結用金具であって、該一対の連結用金具の各足片は、互いに反対向きに延びるようにして、支持板に穿設された係止孔に係合させ、且つ両係止片同士を背中合わせ状態となし、該両係止片に形成されたベルト挿通部に、連結すべきベルト手段を直接または間接的に挿通係合するように構成した構成したものである。
【０００７】
また、請求項２に記載の発明は、請求項１に記載のベルト手段の連結用金具において、前記ベルト手段は、前記支持板に載置したＯＡ機器等の機器に掛け回し固定するための長さ調節可能な形態を有するものである。
そして、請求項３に記載の発明は、請求項１または請求項２に記載のベルト手段の連結用金具において、前記ベルト挿通部は、各係止片に穿設された横長状の貫通孔であって、該貫通孔の上側部には、両係止片同士を背中合わせ状態としたとき、互いに相手側の貫通孔の上側縁にて隠される上向き凸部を設けたものである。
【０００８】
さらに、請求項４に記載の発明は、請求項１または請求項２に記載のベルト手段の連結用金具において、前記ベルト挿通部は、各係止片に穿設された横長状の貫通孔であって、該貫通孔の上側部には、両係止片同士を背中合わせ状態としたとき、互いに相手側の貫通孔の上側縁にて隠される上向き切離し部を設けたものである。
【０００９】
【発明の実施の形態】
次に、本発明を具体化した実施形態について説明する。図１〜図４は、本発明の固定装置の第１実施形態を示し、サーバ（コンピュータ）等のＯＡ機器２を載置（支持）するための金属板製の支持板１は、その天板部１ａの四側部を下向きに屈曲させ、該天板部１ａの下面に補強部材１ｃをスポット溶接して補強している。天板部１ａには、複数箇所に係止孔１１が穿設されている。実施例の支持板１は、図示しない事務所の床面もしくは棚板等に固定することができるが、ワードプロセッサ、パーソナルコンピュータ（パソコン）のように机天板上において使用するＯＡ機器２に対する支持板１は、机天板とすれば良い。
【００１０】
本実施形態の固定装置３は、図１及び図２に示すように、断面Ｌ字状の一対の連結用金具４，４と、長さ調節可能なベルト手段１０とからなり、各連結用金具４は、ベルト手段１０を挿通係合できるベルト挿通部が穿設された係止片５と、該係止片５の基端から略直角に屈曲させられた足片７とにより断面Ｌ字状に形成されている。
【００１１】
各係止片５は横長の略矩形状に形成され、各係止片５に穿設されるベルト挿通部としての貫通孔６は、図２及び図４に示すごとく、ベルト手段１０におけベルト片１２の幅寸法Ｗ１より若干長い寸法Ｗ２の横長孔であり、その横長孔の上側縁には、一方に偏らせて山形の上向き凸部６ａが形成されている。
この固定装置３の実施形態では、少なくとも１本のベルト手段１０と、４つの連結用金具４をセットとして用いるもので、台板１の天板部１ａに穿設された１つの係止孔１１に対して連結用金具４を２枚１組として係止片５，５を背中合わせ状にて、各足片７，７が互いに反対向きに延びるように係止孔１１内に嵌め入れるものである。
【００１２】
なお、前記４つの連結用金具４を天板部１ａの２ヵ所の係止孔１１，１１に嵌め入れる前に、予め、前記４つの連結用金具４を２組ずつにセットとなるように配置して、全ての貫通孔６にベルト手段１０におけるベルト片１２を挿通させておけば、各固定金具４が天板部ａの下面側に落ちないようにすることができる（図２参照）。
【００１３】
即ち、図３（ａ）に示すように、１組の連結用金具４，４のうちまず１個の連結用金具４の係止片５を、指で摘んで足片７が下向きになるように倒して、足片７を天板部１ａの係止孔１１に嵌め入れた後、係止片５を天板部１ａと略直角となるように立て起こす。次いで、他方の連結用金具４の係止片５を指でつまんで前記一方の係止片５を倒した方向と逆の方向に倒し、その足片７を前記と同じ箇所の係止孔１１に嵌め入れた後、係止片５を立て起こす（図３（ｂ）参照）。
そして、この１組の連結用金具４，４に対してベルト片１２の箇所をもって天板部１ａより上方に持ち上げると、該一対の連結用金具４，４における係止片５，５は背中合わせ状態に合体化することとなり、２つの足片７，７は、係止孔１１の下面側にて互いに反対向きに延びるようにして、天板部ａの下面に平行状に当接させれば、２枚の連結用金具４，４が確実に抜け不能となるのである（図３（ｃ）参照）。この場合、各足片７の長さＬ１を係止孔１１の幅寸法Ｗ３とほぼ同じか、Ｗ３≧Ｌ１＞〔Ｗ３−（２×Ｔ１）〕程度に設定しても、２つの反対向きの足片７，７が同時に係止孔１１から確実に抜け出すことがないのである。ここで、Ｔ１は各係止片５の厚さ寸法とする。
【００１４】
そして、支持板１上に載置したＯＡ機器２を固定するには、図１に示すように、ベルト片１２をトラクタ２の上面側に掛け回し、当該ベルト片１２の一端に設けたバックル１３にベルト片１２の他端を差し込んで引っ張ることにより、２組の連結金具４，４、４，４とベルト手段１０とによりＯＡ機器２を倒れ不能に緊縛することができるのである。
【００１５】
なお、各係止片５におけるベルト挿通部としての横長孔状の貫通孔６における上向き凸部６ａは、その長手方向の中央部から端方向に偏位しているので、２枚の係止片５，５を背中合わせ状態にすると、一方の上向き凸部６ａが他方の貫通孔６の直線状の上側縁にて隠されることになり、両貫通孔６，６に挿通させたベルト片１２がその幅方向に捩れることがなく、偏平状を保持することができる（図４参照）。
【００１６】
もし、１つの係止孔１１に対して１枚の連結金具４しか使用しないときには、例えば、ベルト片１２に対する引張り力の方向が、係止片５の基端の略水平状の足片７の先端側が係止孔１１から外れるような回転モーメントを付与するように作用すると、当該足片７が係止孔１１から簡単に脱してしまいすっぽ抜けするのであり、また、偏平なベルト片１２に対する引張り力が、当該ベルト片１２の幅方向に対して偏ったまま係止片５の上方向に向かって作用するときには、貫通孔６における水平な上側縁と上向き凸部６ａの箇所とに沿うようにベルト片１２が断面略Ｖ字状の如く折れ曲がるので、不自然なベルトの掛け回し状態となることが容易に観察できるのである。このようにして、１つの係止孔１１の箇所に対して２枚１組の連結金具４，４を使用しないことの不自然さを直ちに作業者に分からせることができる。
【００１７】
ベルト挿通部としての貫通孔６における上向き凸部６ａの変形例として、上側縁に偏って段付き状に上下幅の大きい箇所を形成しても良い。図５は、ベルト挿通部の第２実施例を示し、横長孔状の貫通孔１６の上側縁のうち中央から偏った箇所に係止片５の上画側連通する切離し部１７を設け、２枚の連結金具４，４をその係止片５，５の箇所で背中合わせ状態にしたとき、一方の貫通孔１６の水平状の上側縁で他方の切離し部１７が隠されるように形成したものであり、前記第１実施例と同様の作用・効果がある。前述のように、貫通孔１６の横長寸法を、１つの係止片５の長手方向の中心線に対して対称状となるように穿設しておけば、同一の連結金具４を背中合わせとなるように使用することが簡単にできるのである。
【００１８】
図６は一組の連結金具４，４に対するベルト手段１０の装着状態の別実施例を示し、一方のベルト片１２ａの基端を、一方の１組の連結金具４，４の貫通孔６，６に挿通させた後、リング状にして縫い付け１４固定するか、面ファスナー（図示せず）を介して接続固定する。この一方のベルト片１２ａの先端部には長さ調節のためのバックル１５が取付けられている。他方のベルト片１２ｂの基端も前記と同様に１組の連結金具４，４の貫通孔６，６に挿通させた後、リング状にして縫い付け１４固定するか、面ファスナー（図示せず）を介して接続固定する。そして、各２枚１組毎の連結金具４，４の足片７，７を１つの係止孔１１に差し込んで２枚の係止片５，５を背中合わせ状となるように立て起こし、ＯＡ機器の上面等に掛け回したベルト片１２ａ，１２ｂのうち、他方のベルト片１２ｂの先端を前記バックル１５に差し込んで緊縛させれば良いのである。
【００１９】
図７（ａ）は、支持板１の３ヵ所の係止孔１１を介して１本乃至２本のベルト手段１０により、所謂３点掛けにてＯＡ機器２を固定した場合の平面図であり、図７（ｂ）は、２本のベルト手段１０をＯＡ機器２の平面視で平行状に掛け回し（上面と下面とを囲むように掛け回しても良い）固定する場合を示す。図７（ａ）及び図７（ｂ）に示すように、支持板１の天板部１ａに予め多数の係止孔１１を穿設しておけば、大きさの異なるＯＡ機器２や計測機器等の各種機器に対応することができ、１つの支持板１に対して複数の機器を固定することも簡単にできるのである。
【００２０】
図８は、機器等の物品２０を吊り下げるためのベルト手段２２を、棚板等の支持板２１の下面側に着脱可能に連結する場合を示し、前記各実施形態と同様にして支持板２１に穿設された複数箇所の係止孔１１のうち任意の１箇所１の係止孔１１に対して、２枚１組の連結金具４，４の足片７，７を下面側から差し込み（図３の上下逆状態を参照）、２枚の係止片５，５を略垂直状であって下向きに延びるようにして背中合わせにして吊り下げる。そして、この両係止片５，５における貫通孔６にベルト片１２を通して、このベルト片１２に物品２０を吊り下げ、バックル１３にてリング状に保持すれば良い。
【００２１】
なお、前記各実施形態において、支持板１（２１）おける１つの係止孔１１に対して２枚一組の連結金具４，４を、その足片７，７が互いに反対向きに延びるように係止孔１１に差し込んでから、一対の係止片５，５を背中合わせ状に立て起こすので、連結金具を支持板に対して抜け不能に装着する場合に、ビス止め等の他の部品を一切使用することなく確実に抜け不能とすることができる反面、連結金具４，４に対するベルト手段の引張力を緩めてから係止片５を倒すだけの簡単な操作で、外すことができるという顕著な効果を奏する。本発明におけるベルト手段１０（２２）の長さ調節するための手段として、バックル１３（１５）の代わりに面ファスナーを用いても良い。
【００２２】
さらに別の実施形態として、２枚１組の連結金具４，４のベルト挿通孔としての貫通孔６、６に、ベルト手段を直接挿通するのに代えて、ベルト手段の端部にフック体（図示せず）を連結し、このフック体のフック部を２つの貫通孔６、６に挿通係合するようにしても良いのであり、この場合はベルト手段を間接的に連結することになる。
【００２３】
前記いずれの実施形態（実施例）においても、支持板１は、床上の台板や机やテーブルにおける天板、棚板を含む概念である。また、ＯＡ機器２は、コンピュータ本体の矩形箱状のものやＣＲＴのような複雑な形態のものにも、本発明を適用できる。
【００２４】
【発明の効果】
以上に説明したように、請求項１に記載の発明のベルト手段の連結用金具は、係止片とその基端から略直角に屈曲させた足片とからなる断面Ｌ字状の一対の連結用金具であって、該一対の連結用金具の各足片は、互いに反対向きに延びるようにして、支持板に穿設された係止孔に係合させ、且つ両係止片同士を背中合わせ状態となし、該両係止片に形成されたベルト挿通部に、連結すべきベルト手段を直接または間接的に挿通係合するように構成した構成したものである。
【００２５】
このように、支持板おける１つの係止孔に対して２枚一組の連結金具を、その２つの足片が互いに反対向きに延びるように差し込んでから、一対の係止片を背中合わせ状に立て起こすので、連結金具を支持板に対して抜け不能に装着する場合に、ビス止め等の他の部品を一切使用することなく確実に抜け不能とすることができる反面、連結金具に対するベルト手段の引張力を緩めてから係止片を倒すだけの簡単な操作で、外すことができるという顕著な効果を奏する。
【００２６】
また、請求項２に記載の発明は、請求項１に記載のベルト手段の連結用金具において、前記ベルト手段は、前記支持板に載置したＯＡ機器等の機器に掛け回し固定するための長さ調節可能な形態を有するものを使用すれば、支持板上に載置する機器の大きさが異なる場合にも、１本のベルト手段にて簡単に緊縛固定することができ、且つ機器は支持板上で転倒しないし、位置ずれ、脱落もしないという効果も奏する。
【００２７】
そして、請求項３または請求項４に記載の発明のように、前記ベルト挿通部は、各係止片に穿設された横長状の貫通孔であって、該貫通孔の上側部には、両係止片同士を背中合わせ状態としたとき、互いに相手側の貫通孔の上側縁にて隠される上向き凸部もしくは上向き切離し部を設ければ、誤って、１つの係止孔に対して１枚の連結金具のみを装着した状態で、偏平なベルト片を貫通孔に挿通したとき、当該ベルト片が不自然に屈曲し、また連結金具が容易に係止孔から外れるので、誤った使用方法を使用者に簡単に知らせることができるという効果を奏する。
【図面の簡単な説明】
【図１】本発明を適用してＯＡ機器を固定した状態の正面図である。
【図２】第１実施形態の連結装置の斜視図である。
【図３】（ａ）は１組の連結金具のうち一方の足片を先に係止孔に差し込んだ状態の説明図、（ｂ）は両方の足片を係止孔に差し込んだ状態の説明図、（ｃ）は２まいの係止片を背中合わせ状態に合体させる説明図である。
【図４】第２実施形態の連結金具を２枚重ねにしたときの正面図である。
【図５】連結金具の第２実施形態の斜視図である。
【図６】他の実施形態の一部切欠き断面図である。
【図７】（ａ）はベルト手段の３点連結によるＯＡ機器の固定状態を示す平面図、（ｂ）は平行状の２本のベルト手段によるＯＡ機器の固定状態を示す平面図である。
【図８】物品を吊り下げする場合の使用状態を示す説明図である。
【符号の説明】
１      支持板
１ａ    天板部
２      ＯＡ機器
３      固定装置
４      連結金具
５      係止片
６      貫通孔
７      足片
１０      ベルト手段
１１      係止孔
１２      ベルト片
１３，１５      バックル
【図１】
0003909968.tif 000002
【図２】
0003909968.tif 000003
【図３】
0003909968.tif 000004
【図４】
0003909968.tif 000005
【図５】
0003909968.tif 000006
【図６】
0003909968.tif 000007
【図７】
0003909968.tif 000008
【図８】
0003909968.tif 000009